(57)【要約】【課題】一つの番組を構成する再生データの一部を抜き出す指示に対応したデータの移動により、一つの番組全体の再生が不能になるのを防止することが可能なデータ記録装置を提供すること。【解決手段】この発明の一例のデータ記録装置は、複数の単位データにより構成される再生データを記録する記録手段（１０１）と、前記記録されている再生データに所属する単位データのうちの少なくとも一つを他の記録装置へ移動させる指示をする指示手段（３０５）と、前記移動を指示された単位データが所属する再生データを検出する検出手段（２０２）と、前記検出された再生データを前記他の記録装置へ移動させる移動手段（１０２）とを備えている。【選択図】      図１
2005347852.tif 000002
【特許請求の範囲】
【請求項１】
複数の単位データにより構成される再生データを記録する記録手段と、
前記記録されている再生データに所属する単位データのうちの少なくとも一つを他の記録装置へ移動させる指示をする指示手段と、
前記移動を指示された単位データが所属する再生データを検出する検出手段と、
前記検出された再生データを前記他の記録装置へ移動させる移動手段と、
を備えたことを特徴とするデータ記録装置。
【請求項２】
前記検出手段は、一度だけコピーが許可された前記再生データに所属する単位データのうちの少なくとも一つを他の記録装置へ移動させる指示に対応して、この移動を指示された単位データが所属する再生データを検出する、
ことを特徴とする請求項１に記載のデータ記録装置。
【請求項３】
前記記録手段は、前記再生データを複数記録し、
前記指示手段は、前記記録されている複数の再生データのうちの所定数の再生データに所属する単位データを前記他の記録装置へ移動させる指示をし、
前記検出手段は、前記移動を指示された単位データが所属する所定数の再生データを検出し、
前記移動手段は、前記検出された所定数の再生データを前記他の記録装置へ移動させる、
ことを特徴とする請求項１に記載のデータ記録装置。
【請求項４】
前記指示手段は、所定数の再生データに所属する所定数の単位データの再生順序を定めた再生リストの移動を指示し、
前記検出手段は、前記再生リストにより再生順序が定められた所定数の単位データが所属する所定数の再生データを検出し、
前記移動手段は、前記検出された所定数の再生データを前記他の記録装置へ移動させる、
ことを特徴とする請求項１に記載のデータ記録装置。
【請求項５】
前記移動手段は、前記検出された所定数の再生データに所属する複数の単位データの中から前記再生リストにより定められた再生順序に基づき所定数の単位データを順に選出し、前記検出された所定数の再生データに所属する複数の単位データの中から前記再生リストにより再生順序が定められていない残りの所定数の単位データを選出することにより、前記再生リストの再生順序に従って並べられた所定数の単位データからなる単位データ群、及び前記再生リストにより再生順序が定められていない残りの所定数の単位データからなる単位データ群を区別して移動することを特徴とする請求項４に記載のデータ記録装置。
【請求項６】
前記移動手段は、前記再生データの基本的な再生順序に基づき前記再生データに所属する複数の単位データを順に選出し、前記基本的な再生順序に従って並べられた複数の単位データを移動することを特徴とする請求項４に記載のデータ記録装置。
【請求項７】
前記基本的な再生順序に従って並べられた複数の単位データを前記再生リストが定めた再生順序で再生するために、前記再生リストに基づき前記再生制御情報を生成する再生制御情報生成手段と、
前記再生制御情報に基づき、移動先において前記基本的な再生順序に従って並べられた複数の単位データの再生を制御する再生制御手段と、
を備えたことを特徴とする請求項６に記載のデータ記録装置。
【請求項８】
複数の単位データにより構成される再生データに所属する単位データのうちの少なくとも一つを他の記録装置へ移動させる指示をし、
前記移動を指示された単位データが所属する再生データを検出し、
前記検出された再生データを前記他の記録装置へ移動させる、
ことを特徴とするデータ移動制御方法。
【請求項９】
一度だけコピーが許可された前記再生データに所属する単位データのうちの少なくとも一つを他の記録装置へ移動させる指示に対応して、この移動を指示された単位データが所属する再生データを検出することを特徴とする請求項８に記載のデータ移動制御方法。
【請求項１０】
複数の再生データのうちの所定数の再生データに所属する単位データを前記他の記録装置へ移動させる指示をし、
前記移動を指示された単位データが所属する所定数の再生データを検出し、
前記検出された所定数の再生データを前記他の記録装置へ移動させる、
ことを特徴とする請求項８に記載のデータ移動制御方法。
【請求項１１】
所定数の再生データに所属する所定数の単位データの再生順序を定めた再生リストの移動を指示し、
前記再生リストにより再生順序が定められた所定数の単位データが所属する所定数の再生データを検出し、
前記検出された所定数の再生データを前記他の記録装置へ移動させる、
ことを特徴とする請求項１０に記載のデータ移動制御方法。
【請求項１２】
前記検出された所定数の再生データに所属する複数の単位データの中から前記再生リストにより定められた再生順序に基づき所定数の単位データを順に選出し、前記検出された所定数の再生データに所属する複数の単位データの中から前記再生リストにより再生順序が定められていない残りの所定数の単位データを選出することにより、前記再生リストの再生順序に従って並べられた所定数の単位データからなる単位データ群、及び前記再生リストにより再生順序が定められていない残りの所定数の単位データからなる単位データ群を区別して移動することを特徴とする請求項１１に記載のデータ移動制御方法。
【請求項１３】
前記再生データの基本的な再生順序に基づき前記再生データに所属する複数の単位データを順に選出し、前記基本的な再生順序に従って並べられた複数の単位データを移動することを特徴とする請求項１１に記載のデータ移動制御方法。
【請求項１４】
前記基本的な再生順序に従って並べられた複数の単位データを前記再生リストが定めた再生順序で再生するために、前記再生リストに基づき前記再生制御情報を生成し、
前記再生制御情報に基づき、移動先において前記基本的な再生順序に従って並べられた複数の単位データの再生を制御する、
ことを特徴とする請求項１３に記載のデータ移動制御方法。
【発明の詳細な説明】
【技術分野】
【０００１】
本発明は、例えばＨＤＤ（ハードディスク）及びＤＶＤによりデータを記録するデータ記録装置に関し、特に記録されたデータの移動制御に関する。また、本発明は、記録されたデータの移動を制御するデータ移動制御方法に関する。
【背景技術】
【０００２】
近年、ＨＤＤを搭載したＤＶＤレコーダなどの記録再生装置の普及が目覚しい。このような記録再生装置は、一つの番組を一つのタイトルとして記録し、チャプターと呼ばれる再生単位によりタイトルの再生を部分的に制御することができる。言い換えれば、一つのタイトルは、複数のチャプタにより構成される。一つのタイトル上でのチャプタの区切り方としては、例えば記録再生装置により自動的に（所定時間毎に）チャプタを区切る方法、及びユーザの指定により任意の位置にチャプタを区切る方法がある。
【０００３】
また、このような記録再生装置は、複数のチャプタの再生順序を定義したプレイリストに基づくプレイリスト再生が可能となっている。例えば、一つのタイトルを構成する複数のチャプターの中からいくつかのチャプターを選択し、これら選択したチャプターの再生順序をプレイリストにより定義することにより、一つのタイトルの中の好みの場面だけを集めた再生が可能となる。また、複数のタイトルを構成する複数のチャプターの中からいくつかのチャプターを選択し、これら選択したチャプターの再生順序をプレイリストにより定義することにより、複数のタイトルの中の好みの場面だけを集めた再生も可能となる。
【０００４】
また、著作権保護等の観点から、将来にわたり、コピーフリー番組に替えたコピーワンス番組の大幅な普及が見込まれている。上記したような記録再生装置はコピーワンス番組を記録（一度目の記録）することができるが、記録再生装置により記録されたコピーワンス番組をさらに別の記録先へ記録（二度目の記録）することはできない。但し、記録再生装置により記録されたコピーワンス番組を別の記録先へ移動することはできる（特許文献１参照）。
【特許文献１】特開２００３−２２６１０
【発明の開示】
【発明が解決しようとする課題】
【０００５】
プレイリストが定義されたコピーワンス番組のタイトルを別の記録先へ移動するにあたり、このタイトルを構成する複数のチャプターの中からプレイリストが指定するチャプターだけを抜き出して別の記録先へ移動する方法が考えられる。例えば、折角作成したプレイリストを別の記録先でも利用したいような場合に、このような移動が考えられる。
【０００６】
しかしながら、このような移動の結果、移動元の一つのタイトルを構成するチャプターが元の一つの番組に対応しなくなってしまう。所謂、虫食い状態のタイトルになってしまう。つまり、一つのタイトルを構成する複数のチャプターの中からプレイリストが指定するチャプターだけを抜き出して別の記録先へ移動してしまうと、移動先でも移動元でも、元の一つの番組に対応した再生ができなくなってしまうという問題があった。
【０００７】
また、上記したように、プレイリストは複数のタイトルに対しても設定可能であり、このような複数のタイトルに対して設定されたプレイリストが指定するチャプターだけを抜き出して別の記録先へ移動してしまうと、問題はさらに深刻になる。つまり、複数のタイトルが、虫食い状態になってしまう。
【０００８】
本発明の目的は、上記課題を解決するためになされたものであり、一つの番組を構成する再生データの一部を抜き出す指示に対応したデータの移動により、一つの番組全体の再生が不能になるのを防止することが可能なデータ記録装置及びデータ移動制御方法を提供することにある。
【課題を解決するための手段】
【０００９】
この発明のデータ記録装置及びデータ移動制御方法は、以下のように構成されている。
【００１０】
（１）この発明のデータ記録装置は、複数の単位データにより構成される再生データを記録する記録手段と、前記記録されている再生データに所属する単位データのうちの少なくとも一つを他の記録装置へ移動させる指示をする指示手段と、前記移動を指示された単位データが所属する再生データを検出する検出手段と、前記検出された再生データを前記他の記録装置へ移動させる移動手段とを備えている。
【００１１】
（２）この発明のデータ移動制御方法は、複数の単位データにより構成される再生データに所属する単位データのうちの少なくとも一つを他の記録装置へ移動させる指示をし、前記移動を指示された単位データが所属する再生データを検出し、前記検出された再生データを前記他の記録装置へ移動させる。
【発明の効果】
【００１２】
本発明によれば、一つの番組を構成する再生データの一部を抜き出す指示に対応したデータの移動により、一つの番組の再生が不能になるのを防止することが可能なデータ記録装置及びデータ移動制御方法を提供できる。
【発明を実施するための最良の形態】
【００１３】
以下、図面を参照しながら本発明の第１及び第２の実施の形態について説明する。図１〜図３に示す内容は、第１及び第２の実施形態に共通する。
【００１４】
図１は、本発明の一例の記録再生装置（データ記録装置）の概略構成を示すブロック図である。
【００１５】
図１に示すように、記録再生装置１は、ＨＤＤ１０１、ＩＥＥＥ１３９４ Ｉ／Ｆ１０２、所属タイトル検出部２０１、移動対象チャプター決定部２０２、チャプター順番最適化部２０３、移動制御部２０４、制御手順情報生成部３０１、制御手順情報記憶部３０２、識別情報表示部３０３、再生制御部３０４、指示入力部３０５を備えている。
【００１６】
図２は、図１に示す記録再生装置１とＤＶＨＳ（デジタルビデオ）２が、デジタルインタフェースであるＩＥＥＥ１３９４によってデジタル接続された状態を示す図である。
【００１７】
記録再生装置１は、例えば、ＨＤＤとＤＶＤの複合機であるＤＶＤレコーダーである。つまり、記録再生装置１は、放送番組をＨＤＤやＤＶＤなどの内部メディアに録画する機能を備えている。録画した番組は録画タイトル（再生データ）として管理され、複数の録画タイトルを同時に管理することが可能である。また、録画タイトルは必要に応じて、チャプターと呼ばれる単位（再生単位）に分割して管理することも可能である。ユーザーは、１又は複数の録画タイトルに含まれる任意の複数のチャプターの再生順序を定めたプレイリスト（再生リスト）を作成することができる。記録再生装置１は、このプレイリストに基づき、ユーザーが指定した任意のチャプターを任意の再生順序で再生する。これにより、今までに録画した１又は複数の録画タイトルの中から、任意の複数のチャプターを好みの再生順序で視聴することが可能となる。
【００１８】
図３は、プレイリストに基づくプレイリスト再生のイメージを示す図である。図３に示すように、一つの録画タイトルは複数のチャプターにより構成される。プレイリストは、１又は複数の録画タイトルの中から選出された任意の複数のチャプターの再生順序を指定する。図３は、複数の録画タイトルの中から選出された任意の複数のチャプターの再生順序を指定するプレイリストの例を示している。
【００１９】
例えば、記録再生装置１が内蔵するＨＤＤには、過去に録画した録画タイトル１、録画タイトル２、録画タイトル３の３つの録画タイトルが保存されているとする。録画タイトル１は、チャプター１−１、チャプター１−２に分割されているとする。同様に、録画タイトル２は、チャプター２−１、チャプター２−２、チャプター２−３に分割されているとする。同様に、録画タイトル３は、チャプター３−１、チャプター３−２に分割されているとする。
【００２０】
ユーザーは記録再生装置１を操作して、これら録画タイトル１、２、３に含まれる複数のチャプターの中から、例えば、チャプター２−２、チャプター１−２、チャプター３−１を順番に再生するプレイリストを作成することができる。ユーザーが記録再生装置１に対してプレイリスト再生を指示すると、記録再生装置１はプレイリストに基づきチャプター２−２、チャプター１−２、チャプター３−１を順番に再生する。これにより、ユーザーは、プレイリスト順に所望のチャプターを視聴することができる。
【００２１】
次に、本発明の第１の実施形態の移動制御について説明する。図４は、記録再生装置１にデジタル接続されたＤＶＨＳ２に挿入されたテープ媒体に対して、上記したプレイリストに基づき記録再生装置１のＨＤＤに記録されたデータ（一度だけコピーが許可されたデータ）を移動するデータ移動処理を示すフローチャートである。
【００２２】
例えばユーザーにより、指示入力部３０５を介して、プレイリストに基づくデータの移動が指示されるとする（ＳＴ１０１）。つまり、録画タイトルを構成する少なくとも一つのチャプターの移動が指示されるとする。
【００２３】
これに対応して、所属タイトル検出部２０１は、プレイリストにより再生順序が指定された各チャプターが所属する全ての録画タイトルを検出し（ＳＴ１０２）、プレイリストにより再生順序が指定された各チャプター、及び検出された録画タイトルに含まれプレイリストにより再生順序が指定されていない各チャプターを移動対象として、移動対象チャプター決定部２０２に登録する（ＳＴ１０３）。
【００２４】
第１の実施形態では、プレイリストにより再生順序が指定されたチャプター２−２が移動対象として移動対象チャプター決定部２０２に登録され、さらに、このチャプター２−２が所属する録画タイトル２に含まれるチャプター２−２以外のチャプター２−１、チャプター２−３も移動対象として移動対象チャプター決定部２０２に登録される。同様にして、プレイリストにより再生順序が指定されたチャプター１−２が移動対象として移動対象チャプター決定部２０２に登録され、さらに、このチャプター１−２が所属する録画タイトル１に含まれるチャプター１−２以外のチャプター１−１も移動対象として移動対象チャプター決定部２０２に登録される。さらに同様にして、プレイリストにより再生順序が指定されたチャプター３−１が移動対象として移動対象チャプター決定部２０２に登録され、さらに、このチャプター３−１が所属する録画タイトル３に含まれるチャプター３−１以外のチャプター３−２も移動対象として移動対象チャプター決定部２０２に登録される。
【００２５】
つまり、移動対象チャプター決定部２０２には、プレイリストにより再生順序が指定されたチャプター２−２、チャプター１−２、チャプター３−１（プレイリストの再生順序に従って並べられた複数のチャプターデータ群）に加え、チャプター１−１、チャプター２−１、チャプター２−３、チャプター３−２（プレイリストにより再生順序が定められていない残りの複数のチャプターデータ群）が移動対象として登録される。
【００２６】
続いて、チャプター順番最適化部２０３は、移動対象チャプター決定部２０２に登録された各チャプターを移動順に並び替える（ＳＴ１０４）。例えば、プレイリストにより指定された再生順序に基づき各チャプターを並べ、プレイリストにより再生順序が指定されていない残りの各チャプターを続けて並べる。
【００２７】
図５は、チャプター順番最適化部による並び替え処理を説明するための図である。第１の実施形態では、まずプレイリストの順番通り、チャプター２−２、チャプター１−２、チャプター３−１が並べられ、これに続けて残りのチャプター１−１、チャプター２−１、チャプター２−３、チャプター３−２が並べられる。
【００２８】
続いて、移動制御部２０４は、チャプター順番最適化部２０３によって最適化された順番通りに（図５に示す順番で）、デジタル接続されたＤＶＨＳ２へ１チャプターずつ移動を制御する（ＳＴ１０５）。移動制御部２０４は、デジタル接続されたＤＶＨＳ２を録画開始状態に制御してから、先頭チャプターの転送を開始する。転送完了後、移動制御部２０４は、ＤＶＨＳ２を録画一時停止状態または録画停止状態に制御する。これにより、移動先のＤＶＨＳ２に挿入されたテープにチャプターの区切りを示すマーカー信号（ＶＩＳＳマーカー）が記録され、後でＤＶＨＳ２側で再生する場合に頭出し操作が容易となり都合がよい。引き続き、移動制御部２０４は、次の順番のチャプターの移動を制御し、マーカー信号の記録制御後、さらに以降のチャプターの移動も同様に制御し、全てのチャプターの移動を制御する。
【００２９】
この実施形態では、ＩＥＥＥ１３９４で接続された機器に対し外部から制御を行うために規定されたＡＶ／Ｃコマンドを用いる。まず、記録再生装置１は、ＲＥＣＯＲＤコマンドで、ＤＶＨＳ２に録画を開始させ、先頭チャプターを転送する。転送完了後に、記録再生装置１は、ＷＩＮＤ（ＳＴＯＰ）コマンドで、ＤＶＨＳ２の録画停止を制御する。同様にして、記録再生装置１は、ＤＶＨＳ２に対して、先頭チャプター以降のチャプターを移動する。
【００３０】
以上の移動制御により、プレイリストに基づくチャプターを移動させることができ、さらにプレイリストにより指定される各チャプターの所属先の録画タイトルに含まれる残りのチャプターも移動させることができる。これにより、移動先において、プレイリストに対応した再生が可能となり、しかも、元の録画タイトルに含まれる全てのチャプターの再生も可能となる。つまり、移動先と移動元に、元の録画タイトルを構成する複数のチャプターが分散してしまうのを防止することができる。元の録画タイトルを構成する複数のチャプターが分散してしまうと、移動先及び移動元のどちらにおいても、元の録画タイトルを構成する一部のチャプターのみしか再生できなくなってしまい、使い勝手が悪くなる。
【００３１】
次に、本発明の第２の実施形態の移動制御について説明する。図６は、記録再生装置１にデジタル接続されたＤＶＨＳ２に挿入されたテープ媒体に対して、上記したプレイリストに基づき記録再生装置１のＨＤＤに記録されたデータ（一度だけコピーが許可されたデータ）を移動するデータ移動処理を示すフローチャートである。
【００３２】
例えばユーザーにより、指示入力部３０５を介して、プレイリストに基づくデータの移動が指示されるとする（ＳＴ２０１）。つまり、録画タイトルを構成する少なくとも一つのチャプターの移動が指示されるとする。
【００３３】
これに対応して、所属タイトル検出部２０１は、プレイリストにより再生順序が指定された各チャプターが所属する全ての録画タイトルを検出し（ＳＴ２０２）、プレイリストにより再生順序が指定された各チャプター、及び検出された録画タイトルに含まれプレイリストにより再生順序が指定されていない各チャプターを移動対象として、移動対象チャプター決定部２０２に登録する（ＳＴ２０３）。
【００３４】
第２の実施形態では、プレイリストにより再生順序が指定されたチャプター２−２が移動対象として移動対象チャプター決定部２０２に登録され、さらに、このチャプター２−２が所属する録画タイトル２に含まれるチャプター２−２以外のチャプター２−１、チャプター２−３も移動対象として移動対象チャプター決定部２０２に登録される。同様にして、プレイリストにより再生順序が指定されたチャプター１−２が移動対象として移動対象チャプター決定部２０２に登録され、さらに、このチャプター１−２が所属する録画タイトル１に含まれるチャプター１−２以外のチャプター１−１も移動対象として移動対象チャプター決定部２０２に登録される。さらに同様にして、プレイリストにより再生順序が指定されたチャプター３−１が移動対象として移動対象チャプター決定部２０２に登録され、さらに、このチャプター３−１が所属する録画タイトル３に含まれるチャプター３−１以外のチャプター３−２も移動対象として移動対象チャプター決定部２０２に登録される。
【００３５】
つまり、移動対象チャプター決定部２０２には、プレイリストにより再生順序が指定されたチャプター２−２、チャプター１−２、チャプター３−１（プレイリストの再生順序に従って並べられた複数のチャプターデータ群）に加え、チャプター１−１、チャプター２−１、チャプター２−３、チャプター３−２（プレイリストにより再生順序が定められていない残りの複数のチャプターデータ群）が移動対象として登録される。
【００３６】
続いて、チャプター順番最適化部２０３は、移動対象チャプター決定部２０２に登録された各チャプターを移動順に並び替える（ＳＴ２０４）。例えば、プレイリストにより再生順序が指定されたチャプターが所属する全ての録画タイトルの構成に基づき各チャプターを並べる。
【００３７】
図７は、チャプター順番最適化部による並び替え処理を説明するための図である。各録画タイトルは、記録時の順序に対応した基本的な再生順序で再生されるようになっている。例えば、録画タイトル１の基本的な再生順序は、チャプター１−１が再生され、チャプター１−２が再生される。録画タイトル２の基本的な再生順序は、チャプター２−１が再生され、チャプター２−２が再生され、さらにチャプター２−３が再生される。録画タイトル３の基本的な再生順序は、チャプター３−１が再生され、チャプター３−２が再生される。
【００３８】
つまり、録画タイトル１、録画タイトル２、録画タイトル３の構成（基本的な再生順序）に基づき、録画タイトル１を構成するチャプター１−１、チャプター１−２、録画タイトル２を構成するチャプター２−１、チャプター２−２、チャプター２−３、録画タイトル３を構成するチャプター３−１、チャプター３−２の順番に並べる。
【００３９】
続いて、移動制御部２０４は、チャプター順番最適化部２０３によって最適化された順番通りに（図７に示す順番で）、デジタル接続されたＤＶＨＳ２へ１チャプターずつ移動を制御する（ＳＴ２０５）。移動制御部２０４は、デジタル接続されたＤＶＨＳ２を録画開始状態に制御してから、先頭チャプターの転送を開始する。転送完了後、移動制御部２０４は、ＤＶＨＳ２を録画一時停止状態または録画停止状態に制御する。これにより、移動先のＤＶＨＳ２に挿入されたテープにチャプターの区切りを示すマーカー信号（ＶＩＳＳマーカー）が記録され、後でＤＶＨＳ２側で再生する場合に頭出し操作が容易となり都合がよい。引き続き、移動制御部２０４は、次の順番のチャプターを同様に移動し、マーカー信号の記録制御後、さらに以降のチャプターの移動も制御し、全ての対象チャプターの移動を移動する。
【００４０】
この実施形態では、ＩＥＥＥ１３９４で接続された機器に対し外部から制御を行うために規定されたＡＶ／Ｃコマンドを用いる。まず、記録再生装置１は、ＲＥＣＯＲＤコマンドで、ＤＶＨＳ２に録画を開始させ、先頭チャプターを転送する。転送完了後に、記録再生装置１は、ＷＩＮＤ（ＳＴＯＰ）コマンドで、ＤＶＨＳ２の録画停止を制御する。同様にして、記録再生装置１は、ＤＶＨＳ２に対して、先頭チャプター以降のチャプターを移動する。
【００４１】
上記した移動制御だけでは、移動先であるテープの先頭から再生を開始しても、プレイリストに対応した再生は実現できない。そこで、制御手順情報生成部３０１は、チャプター順番最適化部２０３が最適化した順番に基づき、プレイリストに対応した再生を実現するための制御手順情報を作成する（ＳＴ２０６）。つまり、基本的な再生順序に従って並べられたチャプターをプレイリストが定めた再生順序で再生されるように、プレイリストに基づき制御手順情報を作成する。
【００４２】
制御手順情報は、主に、テープ上に記録されたチャプター間の区切りを示すマーカー信号を利用した頭出し処理（順方向スキップ、逆方向スキップ）と再生処理を制御する情報である。制御手順情報生成部３０１により作成される制御手順情報の一例を図７に示す。
【００４３】
例えば、プレイリストにより指定された再生順序である、チャプター２−２、チャプター１−２、チャプター３−１の順番に再生するために、(1)〜(6)を制御する。
【００４４】
(1)テープの先頭から順方向に３つのチャプターをスキップし、チャプター２−２を頭出しする。
【００４５】
(2)チャプター２−２を再生する。
【００４６】
(3)チャプター２−２の最後から逆方向に３つのチャプターをスキップし、チャプター１−２を頭出しする。
【００４７】
(4)チャプター１−２を再生する。
【００４８】
(5)チャプター１−２の最後から順方向に３つのチャプターをスキップし、チャプター３−１を頭出しする。
【００４９】
(6)チャプター３−１を再生する。
【００５０】
上記制御手順情報は、複数作成されることが想定される。制御手順情報生成部３０１は、これら複数の制御手順情報を識別できるように、各制御手順情報に対して識別情報を付与して管理する（ＳＴ２０７）。つまり、制御手順情報と識別情報はペアで制御手順情報記憶部３０２に記憶され、識別情報の入力により目的の制御手順情報を呼び出すことができる。また、後で必要な制御手順情報をユーザーが呼び出せるように、識別情報表示部３０３により識別情報が表示される。図８は、識別情報表示部による識別情報の表示の一例を示す図である。
【００５１】
ユーザーは、識別情報表示部３０３により表示された識別情報を、テープのラベルに記入するなどの方法で記憶する。これにより、この識別情報を頼りに、この識別情報に対応する制御手順情報に基づきＤＶＨＳ２側のテープを再生することができる。つまり、プレイリスト通りの再生順序でＤＶＨＳ２側のテープを再生することができる。
【００５２】
ここで、プレイリストに基づくデータの移動後に、テープを再生する場合の動作について説明する。ユーザーは、メニュー上からリモコンなどによってテープの再生を指示し、（指示入力部３０５を介して指示し）、さらに、テープの先頭から順番に通常再生を行うか或いは元のプレイリストに基づくプレイリスト再生を行うか指示する（指示入力部３０５を介して指示する）。
【００５３】
ユーザによりプレイリスト再生が指示されると、例えば、指示入力部３０５上に、制御手順情報を呼び出すために必要な識別情報の入力画面が起動される。図９は、識別情報の入力画面の一例を示す図である。指示入力部３０５を介して所定の識別情報が入力されると、再生制御部３０４は入力された識別情報に基づき制御手順情報記憶部３０２から制御手順情報を呼び出し、この制御手順情報に基づきＤＶＨＳ２側のテープの再生を制御する（ＳＴ２０８）。これにより、元のプレイリスト通りの再生制御が実現される。
【００５４】
以上、第１及び第２の実施形態について説明を行った。両者の主な違いとして、チャプター順番最適化部２０３による最適化処理が挙げられる。第１の実施形態に対応する最適化処理と第２の実施形態に対応する最適化処理のうちのどちらか一方の最適化処理を固定としてもよいし、どちらか一方の最適化処理をユーザが選択するようにしてもよい。どちらか一方の最適化処理の選択は、指示入力部３０５を介して行なう。チャプター順番最適化部２０３は、指示入力部３０５を介して選択された最適化処理を実行する。
【００５５】
以上、本発明の記録再生装置１は、プレイリストに基づき記録再生装置１のＨＤＤに記録されたデータ移動時に、プレイリストにより再生順序が指定された各チャプターが所属する全ての録画タイトル全体を移動する。これにより、移動後に、記録再生装置１側にチャプターが部分的に抜けた録画タイトルが残ってしまい使い勝手が悪くなるという事態を防止することができる。また、プレイリストに基づきチャプターが移動されるので、ユーザーは特別な操作をすることなく、移動先においてプレイリストに対応した再生が可能となる。或いは、プレイリストに基づき制御手順情報を生成することにより、やはりユーザーは特別な操作をすることなく、この制御手順情報に基づき移動先においてプレイリストに対応した再生が可能となる。
【００５６】
なお、本願発明は、上記実施形態に限定されるものではなく、実施段階ではその要旨を逸脱しない範囲で種々に変形することが可能である。また、各実施形態は可能な限り適宜組み合わせて実施してもよく、その場合組み合わせた効果が得られる。更に、上記実施形態には種々の段階の発明が含まれており、開示される複数の構成要件における適当な組み合わせにより種々の発明が抽出され得る。例えば、実施形態に示される全構成要件からいくつかの構成要件が削除されても、発明が解決しようとする課題の欄で述べた課題が解決でき、発明の効果の欄で述べられている効果が得られる場合には、この構成要件が削除された構成が発明として抽出され得る。
【図面の簡単な説明】
【００５７】
【図１】本発明の一例の記録再生装置（データ記録装置）の概略構成を示すブロック図である。
【図２】記録再生装置とＤＶＨＳが、デジタルインタフェースによりデジタル接続された状態の一例を示す図である。
【図３】プレイリストに基づくプレイリスト再生の一例を説明するための図である。
【図４】第１の実施形態におけるプレイリストに基づくデータ移動処理の一例を示すフローチャートである。
【図５】第１の実施形態におけるチャプター順番最適化部による最適化処理を説明するための図である。
【図６】第２の実施形態におけるプレイリストに基づくデータ移動処理の一例を示すフローチャートである。
【図７】第２の実施形態におけるチャプター順番最適化部による最適化処理を説明するための図である。
【図８】識別情報表示部による制御手順情報を識別するための識別情報の表示の一例を示す図である。
【図９】識別情報の入力画面の一例を示す図である。
【符号の説明】
【００５８】
１０１…ＨＤＤ、１０２…ＩＥＥＥ１３９４ Ｉ／Ｆ、２０１…所属タイトル検出部、２０２…移動対象チャプター決定部、２０３…チャプター順番最適化部、２０４…移動制御部、３０１…制御手順情報生成部、３０２…制御手順情報記憶部、３０３…識別情報表示部、３０４…再生制御部、３０５…指示入力部
【図１】
2005347852.tif 000003
【図２】
2005347852.tif 000004
【図３】
2005347852.tif 000005
【図４】
2005347852.tif 000006
【図５】
2005347852.tif 000007
【図６】
2005347852.tif 000008
【図７】
2005347852.tif 000009
【図８】
2005347852.tif 000010
【図９】
2005347852.tif 000011